(57)【要約】【課題】照明効率が良好な明るい照明光を得る。【解決手段】略単一波長のレーザ光Ｌを射出する複数の半導体レーザ素子１１ｂを列方向に沿って一列有し、且つ、複数の半導体レーザ素子１１ｂの列方向に沿って設置される複数のレーザアレイ光源１１と、複数のレーザアレイ光源１１の数と対応して複数の矩形状ミラー部１２ａ，１２ｂを有し、且つ、複数の矩形状ミラー部１２ａ，１２ｂをレーザアレイ光源１１の列方向に対して直角な行方向に沿って交互に直交させて積み重ねた状態で設置されるダイクロイックミラー１２ＤＭ（又は全反射ミラー１２Ｍ）と、を備え、複数のレーザアレイ光源１１をダイクロイックミラー１２ＤＭ（又は全反射ミラー１２Ｍ）を挟んで行方向に位置を違えて交互に分けて対向させて構成した照明装置１０Ａを提供する。【選択図】図１
2011043703.tif 000002
【特許請求の範囲】
【請求項１】
略単一波長のレーザ光が同一方向に射出するよう複数の半導体レーザ素子を一列に配列した複数のレーザアレイ光源と、
前記複数のレーザアレイ光源に対応するよう配置されると共に、前記一列に配列した前記半導体レーザ素子から射出した前記レーザ光のそれぞれの光束の長手方向に対して所定の角度傾斜するよう設けられ、前記レーザ光の入射面が入射した前記レーザ光を反射する複数の反射部と、
を備え、
前記複数のレーザアレイ光源は、前記半導体レーザ素子の配列の方向と直交する方向に配置され、
前記複数の反射部は、前記半導体レーザ素子の配列方向と直交する方向に積み重ねられており、前記複数の反射部のそれぞれの前記入射面は、前記入射面で反射した前記レーザ光の光束が略同一方向となるよう配置されていることを特徴とする照明装置。
【請求項２】
第１の波長の第１のレーザ光が同一方向に射出するよう複数の第１の半導体レーザ素子が一列に配列した複数の第１のレーザアレイ光源と、
前記複数の第１のレーザアレイ光源に対応するよう配置されると共に、前記一列に配列した前記第１の半導体レーザ素子から射出した前記第１のレーザ光のそれぞれの光束の長手方向に対して所定の角度傾斜するよう設けられ、前記第１のレーザ光の入射面が入射した前記第１のレーザ光を反射する複数の第１の反射部と、
第２の波長の第２のレーザ光が同一方向に射出するよう複数の半導体レーザ素子が一列に配列した複数の第２のレーザアレイ光源と、
前記複数の第２のレーザアレイ光源に対応するよう配置されると共に、前記一列に配列した前記第２の半導体レーザ素子から射出した前記第２のレーザ光のそれぞれの光束の長手方向に対して所定の角度傾斜するよう設けられ、前記第２のレーザ光の入射面が入射した前記第２のレーザ光を反射する複数の第２の反射部と、
第３の波長の第３のレーザ光が同一方向に射出するよう複数の半導体レーザ素子が一列に配列した複数の第３のレーザアレイ光源と、
前記複数の第３のレーザアレイ光源に対応するよう配置されると共に、前記一列に配列した前記第３の半導体レーザ素子から射出した前記第３のレーザ光のそれぞれの光束の長手方向に対して所定の角度傾斜するよう設けられ、前記第３のレーザ光の入射面が入射した前記第３のレーザ光を反射する複数の第３の反射部と、
を備え、
前記第１〜第３のレーザアレイ光源は、前記第１〜第３の半導体レーザ素子の配列の方向と直交する方向に配置され、
前記各反射部は、前記各半導体レーザ素子の配列方向と直交する方向に積み重ねられており、前記各反射部のそれぞれの前記入射面は、前記入射面で反射した前記各レーザ光の光束が略同一方向となるよう配置されており、前記第１の反射部，前記第２の反射部及び前記第３の反射部は、前記各反射部における前記各レーザ光の反射する向きに対して異なる位置に配置されていることを特徴とする照明装置。
【請求項３】
前記第２の反射部は、前記第１の波長の第１のレーザ光を透過し、前記第３の反射部は、前記第１の波長の第１のレーザ光及び前記第２の波長の第２のレーザ光を透過し、
前記第１の反射部において反射した前記第１のレーザ光の光軸上に前記第２の反射部が配置され、前記第１の反射部において反射した前記第１のレーザ光及び前記第２の反射部において反射した前記第２のレーザ光の光軸上に前記第３の反射部が配置されていることを特徴とする請求項２記載の照明装置。
【請求項４】
前記複数の反射部の前記入射面は、互いに直交していることを特徴とする請求項１乃至請求項３のいずれか１項に記載の照明装置。
【請求項５】
請求項１乃至請求項４のいずれか１項に記載の照明装置と、
前記照明装置から射出された前記レーザ光の光強度分布を均一化して射出するビーム強度均一化手段と、
前記ビーム強度均一化手段から射出した前記レーザ光が入射した際に、入射された前記レーザ光を光変調して映像光として射出する光変調素子と、
前記光変調素子から射出された映像光を投影する投射レンズと、
を備えることを特徴とする投射型映像表示装置。
【請求項６】
前記第１のレーザ光，前記第２のレーザ光及び前記第３のレーザ光の合成光を射出する請求項２又は請求項３記載の照明装置と、
前記照明装置から射出された前記合成光の光強度分布を均一化して射出するビーム強度均一化手段と、
前記ビーム強度均一化手段から射出した前記合成光をＲ光，Ｇ光，Ｂ光に分離してそれぞれ射出する色光分離手段と、
前記色光分離手段から射出した前記Ｒ光，前記Ｇ光及び前記Ｂ光がそれぞれ入射した際に、入射された前記Ｒ光，前記Ｇ光及び前記Ｂ光をそれぞれ光変調してＲ光の映像光，Ｇ光の映像光及びＢ光の映像光として射出するＲ光用光変調素子，Ｇ光用光変調素子及びＢ光用光変調素子と、
Ｒ光用光変調素子，Ｇ光用光変調素子及びＢ光用光変調素子から射出された前記Ｒ光の映像光，前記Ｇ光の映像光及び前記Ｂ光の映像光を合成して合成映像光として射出する映像光合成手段と、
前記映像光合成手段で合成された合成映像光を投影する投射レンズと、
を備えることを特徴とする投射型映像表示装置。
【発明の詳細な説明】
【技術分野】
【０００１】
本発明は、複数の半導体レーザ素子を一方向に一列に配置させたレーザアレイ光源を用いて照明効率が良好で、光変調素子に対して明るい照明光を照射することができる照明装置及びこの照明装置を用いた投射型映像表示装置に関するものである。
【背景技術】
【０００２】
従来、液晶パネルやＤＭＤ（Digital Micromirror Device）などの光変調素子から射出された映像光を投射光学系により拡大してスクリーンに投影する投射型映像表示装置に適用される照明装置は、白色光を射出するキセノンランプやハロゲンランプとか超高圧水銀ランプなどによる白色光源が用いられているが、これらのランプを用いた白色光源はランプ寿命が比較的短く、且つ、瞬時点灯が難しく、更に、色再現性範囲が狭いなどの点で問題がある。
【０００３】
そこで、ランプを用いた白色光源における上記問題点を解決するために、寿命が長く、且つ、瞬時点灯が可能なレーザアレイ光源を用い、Ｒ（赤）光用，Ｇ（緑）光用，Ｂ（青）光用の各レーザアレイ光源から射出されたＲ，Ｇ，Ｂの各単色光を合成することにより色再現性範囲が広い照明光を射出することができる照明光学装置及びプロジェクタがある（例えば、特許文献１参照）。
【０００４】
図９（ａ），（ｂ）は従来の照明光学装置を示した平面図，側面である。
また、図１０は従来の照明光学装置において、ダイクロイックミラーのＸ字状交差部位で光の散乱が生じる状態を示した斜視図である。
【０００５】
図９（ａ），（ｂ）に示した従来の照明光学装置１００は特許文献１に開示されているものであり、ここでは特許文献１を参照して簡略に説明する。
【０００６】
図９（ａ），（ｂ）に示した如く、従来の照明光学装置１００では、Ｒ（赤）光用レーザアレイ光源１０１Ｒ，Ｇ（緑）光用レーザアレイ光源１０１Ｇ，Ｂ（青）光用レーザアレイ光源１０１Ｂからそれぞれ射出されたＲ光Ｌｒ，Ｇ光Ｌｇ，Ｂ光Ｌｂが光学部材１０２Ｒ，１０２Ｇ，１０２Ｂをそれぞれ通過して平行光束化された後に、Ｒ光Ｌｒ，Ｇ光Ｌｇ，Ｂ光Ｌｂがダイクロイック膜１０３ｒ，１０３ｂをＸ字状に交差させた色合成素子（以下、ダイクロイックミラーと記す）１０３に入射されている。
【０００７】
そして、ダイクロイックミラー１０３でＲ光Ｌｒ，Ｇ光Ｌｇ，Ｂ光Ｌｂが色合成されて白色光Ｌｒｇｂとなり、この白色光Ｌｒｇｂがホモジナイザ１０４でビーム強度を均一化された後に被照射部１０５側に射出されている。
【０００８】
尚、上記した特許文献１には、従来の照明光学装置を用いたプロジェクタも開示されており、このプロジエクタでは、ここでの図示を省略するが、従来の照明光学装置から射出された白色光をフィールドレンズにより光変調器（ライトバルブ）に照射し、この光変調器から射出された映像光を投射レンズによりスクリーン上に拡大投影する旨が記載されている。
【先行技術文献】
【特許文献】
【０００９】
【特許文献１】特許第３９７３３５６号公報
【発明の概要】
【発明が解決しようとする課題】
【００１０】
ところで、従来の照明光学装置１００によれば、Ｒ光用，Ｇ光用，Ｂ光用レーザアレイ光源１０１Ｒ，１０１Ｇ，１０１Ｂを用いることで寿命や、瞬時点灯とか色再現性範囲などの点に関してランプを用いた白色光源よりも改善できるものの、Ｒ光用，Ｇ光用，Ｂ光用レーザアレイ光源１０１Ｒ，１０１Ｇ，１０１Ｂはレーザ出力が小さく、且つ、照明光学装置１００内にＲ光用，Ｇ光用，Ｂ光用レーザアレイ光源１０１Ｒ，１０１Ｇ，１０１ＢがＲ，Ｇ，Ｂごとに１灯ずつ設置されているためにＲ光Ｌｒ，Ｇ光Ｌｇ，Ｂ光Ｌｂの明るさが暗く、且つ、Ｒ光Ｌｒ，Ｇ光Ｌｇ，Ｂ光Ｌｂをダイクロイックミラー１０３で色合成して得られた白色光Ｌｒｇｂの明るさも当然暗くなるという問題がある。
【００１１】
また、図１０に示した如く、従来の照明光学装置１００において、Ｒ光用，Ｇ光用，Ｂ光用レーザアレイ光源１０１Ｒ，１０１Ｇ，１０１Ｂから射出されたＲ光Ｌｒ，Ｇ光Ｌｇ，Ｂ光Ｌｂがダイクロイックミラー１０３に入射したときに、Ｒ光Ｌｒ，Ｇ光Ｌｇ，Ｂ光Ｌｂがダイクロイック膜１０３ｒ，１０３ｂをＸ字状に交差させたＸ字状交差部位１０３ｘで散乱するために、このダイクロイックミラー１０３で色合成された白色光Ｌｒｇｂの照度むらが発生するという問題も生じている。
【００１２】
そこで、複数の半導体レーザ素子を用いて照明効率が良好で光変調素子に対して明るく照度むらの無い照明光を照射することができる照明装置及びこの照明装置を用いた投射型映像表示装置を提供することを目的とする。
【課題を解決するための手段】
【００１３】
１）上記の目的を達成するために、請求項１記載の照明装置は、略単一波長のレーザ光が同一方向に射出するよう複数の半導体レーザ素子を一列に配列した複数のレーザアレイ光源と、
前記複数のレーザアレイ光源に対応するよう配置されると共に、前記一列に配列した前記半導体レーザ素子から射出した前記レーザ光のそれぞれの光束の長手方向に対して所定の角度傾斜するよう設けられ、前記レーザ光の入射面が入射した前記レーザ光を反射する複数の反射部と、
を備え、
前記複数のレーザアレイ光源は、前記半導体レーザ素子の配列の方向と直交する方向に配置され、
前記複数の反射部は、前記半導体レーザ素子の配列方向と直交する方向に積み重ねられており、前記複数の反射部のそれぞれの前記入射面は、前記入射面で反射した前記レーザ光の光束が略同一方向となるよう配置されている。
【００１４】
２）上記の目的を達成するために、請求項２記載の照明装置は、第１の波長の第１のレーザ光が同一方向に射出するよう複数の第１の半導体レーザ素子が一列に配列した複数の第１のレーザアレイ光源と、
前記複数の第１のレーザアレイ光源に対応するよう配置されると共に、前記一列に配列した前記第１の半導体レーザ素子から射出した前記第１のレーザ光のそれぞれの光束の長手方向に対して所定の角度傾斜するよう設けられ、前記第１のレーザ光の入射面が入射した前記第１のレーザ光を反射する複数の第１の反射部と、
第２の波長の第２のレーザ光が同一方向に射出するよう複数の半導体レーザ素子が一列に配列した複数の第２のレーザアレイ光源と、
前記複数の第２のレーザアレイ光源に対応するよう配置されると共に、前記一列に配列した前記第２の半導体レーザ素子から射出した前記第２のレーザ光のそれぞれの光束の長手方向に対して所定の角度傾斜するよう設けられ、前記第２のレーザ光の入射面が入射した前記第２のレーザ光を反射する複数の第２の反射部と、
第３の波長の第３のレーザ光が同一方向に射出するよう複数の半導体レーザ素子が一列に配列した複数の第３のレーザアレイ光源と、
前記複数の第３のレーザアレイ光源に対応するよう配置されると共に、前記一列に配列した前記第３の半導体レーザ素子から射出した前記第３のレーザ光のそれぞれの光束の長手方向に対して所定の角度傾斜するよう設けられ、前記第３のレーザ光の入射面が入射した前記第３のレーザ光を反射する複数の第３の反射部と、
を備え、
前記第１〜第３のレーザアレイ光源は、前記第１〜第３の半導体レーザ素子の配列の方向と直交する方向に配置され、
前記各反射部は、前記各半導体レーザ素子の配列方向と直交する方向に積み重ねられており、前記各反射部のそれぞれの前記入射面は、前記入射面で反射した前記各レーザ光の光束が略同一方向となるよう配置されており、前記第１の反射部，前記第２の反射部及び前記第３の反射部は、前記各反射部における前記各レーザ光の反射する向きに対して異なる位置に配置されている。
【００１５】
３）上記の目的を達成するために、請求項３記載の照明装置は、上記した請求項２記載の照明装置において、前記第２の反射部は、前記第１の波長の第１のレーザ光を透過し、前記第３の反射部は、前記第１の波長の第１のレーザ光及び前記第２の波長の第２のレーザ光を透過し、
前記第１の反射部において反射した前記第１のレーザ光の光軸上に前記第２の反射部が配置され、前記第１の反射部において反射した前記第１のレーザ光及び前記第２の反射部において反射した前記第２のレーザ光の光軸上に前記第３の反射部が配置されている。
【００１６】
４）上記の目的を達成するために、請求項４記載の投射型映像表示装置は、請求項１乃至請求項３のいずれか１項に記載の照明装置において、
前記複数の反射部の前記入射面は、互いに直交している。
【００１７】
５）上記の目的を達成するために、請求項５記載の投射型映像表示装置は、請求項１乃至請求項４のいずれか１項に記載の照明装置と、
前記照明装置から射出された前記レーザ光の光強度分布を均一化して射出するビーム強度均一化手段と、
前記ビーム強度均一化手段から射出した前記レーザ光が入射した際に、入射された前記レーザ光を光変調して映像光として射出する光変調素子と、
前記光変調素子から射出された映像光を投影する投射レンズと、
を備える。
【００１８】
６）上記の目的を達成するために、請求項６記載の投射型映像表示装置は、前記第１のレーザ光，前記第２のレーザ光及び前記第３のレーザ光の合成光を射出する請求項２又は請求項３記載の照明装置と、
前記照明装置から射出された前記合成光の光強度分布を均一化して射出するビーム強度均一化手段と、
前記ビーム強度均一化手段から射出した前記合成光をＲ光，Ｇ光，Ｂ光に分離してそれぞれ射出する色光分離手段と、
前記色光分離手段から射出した前記Ｒ光，前記Ｇ光及び前記Ｂ光がそれぞれ入射した際に、入射された前記Ｒ光，前記Ｇ光及び前記Ｂ光をそれぞれ光変調してＲ光の映像光，Ｇ光の映像光及びＢ光の映像光として射出するＲ光用光変調素子，Ｇ光用光変調素子及びＢ光用光変調素子と、
Ｒ光用光変調素子，Ｇ光用光変調素子及びＢ光用光変調素子から射出された前記Ｒ光の映像光，前記Ｇ光の映像光及び前記Ｂ光の映像光を合成して合成映像光として射出する映像光合成手段と、
前記映像光合成手段で合成された合成映像光を投影する投射レンズと、
を備える。
【発明の効果】
【００１９】
本発明によれば、複数の半導体レーザ素子を用いて照明効率が良好で光変調素子に対して明るく照度むらの無い照明光を照射することができる。
【図面の簡単な説明】
【００２０】
【図１】本発明に係る実施例１の照明装置に用いられるレーザアレイ光源を示した斜視図である。
【図２】（ａ），（ｂ）は本発明に係る実施例１の照明装置における第１，第２例を模式的に示した斜視図である。
【図３】本発明に係る実施例１の照明装置における第３例を模式的に示した斜視図である。
【図４】（ａ），（ｂ）は本発明に係る実施例１の照明装置における第１，第２例を一部変形させた変形例１，２の照明装置を模式的に示した斜視図である。
【図５】本発明に係る実施例１の照明装置における第３例を一部変形させた変形例３の照明装置を模式的に示した斜視図である。
【図６】本発明に係る実施例２の投射型映像表示装置における第１例を示した構成図である。
【図７】本発明に係る実施例２の投射型映像表示装置における第２例を示した構成図である。
【図８】本発明に係る実施例２の投射型映像表示装置における第３例を示した構成図である。
【図９】（ａ），（ｂ）は従来の照明光学装置を示した平面図，側面図である。
【図１０】従来の照明光学装置において、ダイクロイックミラーのＸ字状交差部位で光の散乱が生じる状態を示した斜視図である。
【発明を実施するための形態】
【００２１】
以下に本発明に係る照明装置及びこの照明装置を用いた投射型映像表示装置の一実施例について図１〜図８を参照して、実施例１の照明装置，実施例２の投射型映像表示装置の順に詳細に説明する。
【実施例１】
【００２２】
本発明に係る実施例１の照明装置を説明する前に、この照明装置に用いられるレーザアレイ光源について図１を用いて説明する。
【００２３】
図１に示した如く、本発明に係る実施例１の照明装置に用いられるレーザアレイ光源１１では、基板１１ａ上にレーザ光Ｌを矢印方向に向かって射出する射出部１１ｂ１を有する複数の半導体レーザ素子１１ｂが一方向となる列方向に沿って一列配置されている。従って、レーザアレイ光源１１から射出されるレーザ光Ｌは、列方向を長手方向として図１における矢印方向に向かうものである。
【００２４】
また、複数の半導体レーザ素子１１ｂ上には、各半導体レーザ素子１１ｂで生じた熱を放熱するために複数のフィンを有するヒートシンク１１ｃが接着されている。
【００２５】
この際、複数の半導体レーザ素子１１ｂは略単一波長のレーザ光Ｌを射出するものであり、略単一波長のレーザ光Ｌとして、Ｒ（赤）光と対応する波長のレーザ光Ｌｒを射出する光源をＲ光用レーザアレイ光源１１Ｒ、Ｇ（緑）光と対応する波長のレーザ光Ｌｇを射出する光源をＧ光用レーザアレイ光源１１Ｇ、Ｂ（青）光と対応する波長のレーザ光Ｌｂを射出する光源をＢ光用レーザアレイ光源１１Ｂとそれぞれ呼称して以下説明する。
【００２６】
次に、本発明に係る実施例１の照明装置について図２〜図３を用いて説明する。
【００２７】
図２（ａ），（ｂ）に示した如く、実施例１における第１，第２例の照明装置１０Ａ，１０Ｂでは、略単一波長のレーザ光Ｌ（Ｌｒ，Ｌｇ，Ｌｂのうち一色のレーザ光）を射出する複数の半導体レーザ素子１１ｂを一方向となる列方向に沿って一列有したレーザアレイ光源１１（１１Ｒ，１１Ｇ，１１Ｂのうち一種類）を複数用意し、且つ、複数のレーザアレイ光源１１を半導体レーザ素子１１ｂの列方向に沿って水平に設置している。
【００２８】
また、複数のレーザアレイ光源１１の数と対応して複数の矩形状ミラー部｛１２ａ，１２ｂ…図２（ａ）の第１例｝又は｛１２ａ〜１２ｄ…図２（ｂ）の第２例｝を有したダイクロイックミラー１２ＤＭ（又は全反射ミラー１２Ｍ）を１つ用意し、且つ、ダイクロイックミラー１２ＤＭ（又は全反射ミラー１２Ｍ）に設けた複数の矩形状ミラー部（１２ａ，１２ｂ）又は（１２ａ〜１２ｄ）をレーザアレイ光源１１の列方向に対して直角な行方向に沿って交互に垂直に直交させて積み重ねた状態で設置している。
【００２９】
この際、ダイクロイックミラー１２ＤＭを用いる場合に、ダイクロイックミラー１２ＤＭは、波長選択性を有するダイクロイック膜が成膜されており、レーザアレイ光源１１（１１Ｒ，１１Ｇ，１１Ｂ）から射出されたレーザ光Ｌ（Ｌｒ，Ｌｇ，Ｌｂ）に対応した色の光を反射させ且つその他の色の光を透過させる機能を備えている。ダイクロイックミラー１２ＤＭは、後述するように、Ｒ光用，Ｇ光用，Ｂ光用レーザアレイ光源１１Ｒ，１１Ｇ，１１Ｂからそれぞれ射出されたＲ光Ｌｒ，Ｇ光Ｌｇ，Ｂ光Ｌｂを色合成する場合に用いられるものである。
【００３０】
また、全反射ミラー１２Ｍを用いる場合に、全反射ミラー１２Ｍは、レーザアレイ光源１１（１１Ｒ，１１Ｇ，１１Ｂ）から射出されるレーザ光Ｌ（Ｌｒ，Ｌｇ，Ｌｂ）の全ての色光に対して反射させる機能を備えているものである。とくに、後述するように、Ｒ光用，Ｇ光用，Ｂ光用レーザアレイ光源１１Ｒ，１１Ｇ，１１Ｂからそれぞれ射出されたＲ光Ｌｒ，Ｇ光Ｌｇ，Ｂ光Ｌｂを色合成する際に１色目の色光を反射する場合に用いられるか、又は、Ｒ光Ｌｒ，Ｇ光Ｌｇ，Ｂ光Ｌｂをそれぞれ個別に３板式のＲ光用，Ｇ光用，Ｂ光用光変調素子に照射する場合に用いることにより、ダイクロイックミラー１２ＤＭを用いる場合に比較して安価にすることができるものである。
【００３１】
そして、複数のレーザアレイ光源１１をダイクロイックミラー１２ＤＭ（又は全反射ミラー１２Ｍ）を挟んで前記した行方向に位置を違えて交互に分けて対向させて、各レーザアレイ光源１１から射出された各レーザ光Ｌ（Ｌｒ，Ｌｇ，Ｌｂ）を対応する各矩形状ミラー部（１２ａ，１２ｂ）又は（１２ａ〜１２ｄ）に入射させた後に各レーザ光Ｌを同一方向に反射させて後述する光変調素子への照明光を得ている。
【００３２】
この際、実施例１における第１，第２例の照明装置１０Ａ，１０Ｂにおける複数のレーザアレイ光源１１の列方向は、後述する光変調素子内でマトリックス状に配列された画素の列方向と対応し、且つ、ダイクロイックミラー１２ＤＭ（又は全反射ミラー１２Ｍ）の複数の矩形状ミラー部（１２ａ，１２ｂ）又は（１２ａ〜１２ｄ）を直交して積み重ねた行方向は光変調素子内でマトリックス状に配列された画素の行方向と対応している。
【００３３】
ここで、複数のレーザアレイ光源１１は、先に図１を用いて説明したように、複数の半導体レーザ素子１１ｂが基板１１ａとヒートシンク１１ｃとの間に挟まれているので、各レーザアレイ光源１１から射出されるレーザ光Ｌの向きを同じ方向に向けた場合に、基板１１ａ及びヒートシンク１１ｃの存在により各レーザアレイ光源１１の高さを違えても行方向（上下方向）に対して互に接近して設置することができない。そこで、この実施例１における第１，第２例の照明装置１０Ａ，１０Ｂでは、複数のレーザアレイ光源１１をダイクロイックミラー１２ＤＭ（又は全反射ミラー１２Ｍ）を挟んで前記した行方向に位置を違えて交互に分けて対向するように設置することで、複数のレーザアレイ光源１１を行方向に対して互に接近して設置することができる。そのため、レーザアレイ光源１１の放熱が効率的にでき、寿命が長く、瞬時点灯が可能で、照明効率が良好な明るい照明光を得ることができるようになっている。
【００３４】
具体的に説明すると、図２（ａ）に示した第１例の照明装置１０Ａは、２つのレーザアレイ光源１１の列方向を水平に設置した場合である。
【００３５】
この場合に、ダイクロイックミラー１２ＤＭ（又は全反射ミラー１２Ｍ）は、２つのレーザアレイ光源１１と対応させて２つの矩形状ミラー部１２ａ，１２ｂを有し、且つ、各矩形状ミラー部１２ａ，１２ｂの長手方向の長さがレーザアレイ光源１１に設けた複数の半導体レーザ素子１１ｂの列方向の長さより僅かに長く形成され、各矩形状ミラー部１２ａ，１２ｂの短手方向の長さは同じ寸法で形成されている。
【００３６】
また、ダイクロイックミラー１２ＤＭ（又は全反射ミラー１２Ｍ）は、２つの矩形状ミラー部１２ａ，１２ｂの長手方向の中心部位でＸ字状に直交させて、Ｘ字状直交部位１２ｘで２つの矩形状ミラー部１２ａ，１２ｂが行方向に沿って垂直に積み重ねられている。
【００３７】
そして、一方のレーザアレイ光源１１から射出されたレーザ光Ｌは、レーザ光Ｌの光軸に対して４５°傾斜して配設されたダイクロイックミラー１２ＤＭ（又は全反射ミラー１２Ｍ）の一方の矩形状ミラー部１２ａに入射し、且つ、他方のレーザアレイ光源１１から射出されたレーザ光Ｌは、レーザ光Ｌの光軸に対して４５°傾斜して配設されたダイクロイックミラー１２ＤＭ（又は全反射ミラー１２Ｍ）の他方の矩形状ミラー部１２ｂ（矩形状ミラー部１２ａと直交する）に入射した後に、２つの矩形状ミラー部１２ａ，１２ｂにより同一方向に反射される。矩形状ミラー部１２ａ，１２ｂにより反射されたレーザ光Ｌは行方向のレーザ光の照射面積が広がり、明るい照明光となる。
【００３８】
更に、ダイクロイックミラー１２ＤＭ（又は全反射ミラー１２Ｍ）には、従来例で説明したようなＸ字状交差部位１０３ｘがないために散乱が生ぜず、且つ、２つの矩形状ミラー部１２ａ，１２ｂにそれぞれ対向した２つのレーザアレイ光源１１が行方向に位置を違えても接近させることができるので上下の境目で照度むらがない照明光となる。
【００３９】
また、図２（ｂ）に示した第２例の照明装置１０Ｂは、４つのレーザアレイ光源１１を互い違いに行方向に設置した場合である。
【００４０】
この場合に、ダイクロイックミラー１２ＤＭ（又は全反射ミラー１２Ｍ）は、４つのレーザアレイ光源１１と対応させて４つの矩形状ミラー部１２ａ〜１２ｄを有し、且つ、４つの矩形状ミラー部１２ａ〜１２ｄの長手方向の中心部位を交互にＸ字状に直交させて、各Ｘ字状直交部位１２ｘで４つの矩形状ミラー部１２ａ〜１２ｄが行方向に沿って垂直に積み重ねられている。
【００４１】
そして、４つのレーザアレイ光源１１から射出された各レーザ光Ｌは、各レーザ光Ｌの光軸に対して４５°傾斜して配設されたダイクロイックミラー１２ＤＭ（又は全反射ミラー１２Ｍ）の４つの矩形状ミラー部１２ａ〜１２ｄに入射した後に、４つの矩形状ミラー部１２ａ〜１２ｄにより同一方向に反射される。４つの矩形状ミラー部１２ａ〜１２ｄにより反射されたレーザ光Ｌは行方向のレーザ光の照射面積が広がり、より一層明るい照明光となると共に、４つの矩形状ミラー部１２ａ〜１２ｄにそれぞれ対向した各レーザアレイ光源１１が行方向に位置を違えることにより各レーザ光Ｌを互に接近させることができる。
【００４２】
次に、図３に示した如く、実施例１における第３例の照明装置１０Ｃは、先に説明した図２（ａ）の技術的思想を利用して、２つのＲ光用レーザアレイ光源１１Ｒ，２つのＧ光用レーザアレイ光源１１Ｇ，２つのＢ光用レーザアレイ光源１１Ｂを用いる。各２つのＲ光用，Ｇ光用，Ｂ光用レーザアレイ光源１１Ｒ，１１Ｇ，１１Ｂを図２（ａ）に示すように各色のレーザアレイ光源１１をそれぞれ行方向の高さを変えてダイクロイックミラー１２ＤＭ（又は全反射ミラー１２Ｍ）を挟んで対向させる。ダイクロイックミラー１２ＤＭ（又は全反射ミラー１２Ｍ）を挟んで対向した各色のレーザアレイ光源１１Ｒ，１１Ｇ，１１Ｂは、列方向に対してそれぞれ水平に設置する。これにより、Ｒ光用，Ｇ光用，Ｂ光用レーザアレイ光源１１Ｒ，１１Ｇ，１１Ｂから射出されたＲ光Ｌｒ，Ｇ光Ｌｇ，Ｂ光Ｌｂを計３つのＲ光用，Ｇ光用，Ｂ光用ダイクロイックミラー１２ＤＭ−Ｒ，１２ＤＭ−Ｇ，１２ＤＭ−Ｂにより色合成する。これに限ることなく、図２（ｂ）に示すようにＲ，Ｇ，Ｂごとに４つのＲ光用，Ｇ光用，Ｂ光用レーザアレイ光源１１Ｒ，１１Ｇ，１１Ｂを設置した場合も図３と略同様になるものである。
【００４３】
即ち、図３に示した照明装置１０Ｃでは、１色目の色光をＢ光Ｌｂとした場合にＢ光Ｌｂを反射するＢ光用ダイクロイックミラー１２ＤＭ−Ｂに２つのＢ光用レーザアレイ光源１１Ｂを対向させ、２色目の色光をＧ光Ｌｇとした場合にＧ光Ｌｇを反射し且つＢ光Ｌｂを透過するＧ光用ダイクロイックミラー１２ＤＭ−Ｇに２つのＧ光用レーザアレイ光源１１Ｇを対向させ、３色目の色光をＲ光Ｌｒとした場合にＲ光Ｌｒを反射し且つＢ光Ｌｂ，Ｇ光Ｌｇを透過するＲ光用ダイクロイックミラー１２ＤＭ−Ｒに２つのＲ光用レーザアレイ光源１１Ｒを対向させている。
【００４４】
尚、１色目のＢ光用レーザアレイ光源１１Ｂと対向するＢ光用ダイクロイックミラー１２ＤＭ−Ｂは、Ｂ光Ｌｂだけを反射させれば良いものであるから、Ｂ光用ダイクロイックミラー１２ＤＭ−Ｂに代えて全反射ミラー１２Ｍを用いても良いものであり、この場合には全反射ミラー１２ＭがＢ光用ダイクロイックミラー１２ＤＭ−Ｂよりも安価に入手できるので、照明装置１０Ｃを安価に提供できる。
【００４５】
この際、計３つのＲ光用，Ｇ光用，Ｂ光用ダイクロイックミラー１２ＤＭ−Ｒ，１２ＤＭ−Ｇ，１２ＤＭ−Ｂは、先に図２（ａ）を用いて説明したと同様に、２つの矩形状ミラー部１２ａ，１２ｂの長手方向の中心部位を交互にＸ字状に直交させて、行方向に沿って垂直に積み重ねているものである。
【００４６】
具体的には、計３つのＲ光用，Ｇ光用，Ｂ光用ダイクロイックミラー１２ＤＭ−Ｒ，１２ＤＭ−Ｇ，１２ＤＭ−Ｂを列方向に間隔を離して配置し、Ｒ光用，Ｇ光用，Ｂ光用ダイクロイックミラー１２ＤＭ−Ｒ，１２ＤＭ−Ｇ，１２ＤＭ−Ｂの各Ｘ字状直交部位１２ｘが軸Ｋ上に位置するようにする。更に、Ｒ光用，Ｇ光用，Ｂ光用ダイクロイックミラー１２ＤＭ−Ｒ，１２ＤＭ−Ｇ，１２ＤＭ−Ｂの上方のミラー１２ａ同士が互いに平行になり且つ下方のミラー１２ｂ同士が互いに平行になるように計３つのＲ光用，Ｇ光用，Ｂ光用ダイクロイックミラー１２ＤＭ−Ｒ，１２ＤＭ−Ｇ，１２ＤＭ−Ｂを設置し、各２つのＲ光用，Ｇ光用，Ｂ光用レーザアレイ光源１１Ｒ，１１Ｇ，１１ＢをそれぞれＲ光用，Ｇ光用，Ｂ光用ダイクロイックミラー１２ＤＭ−Ｒ，１２ＤＭ−Ｇ，１２ＤＭ−Ｂを挟んで前記した行方向に位置を違えて交互に分けて対向設置させている。
【００４７】
従って、２つのＢ光用レーザアレイ光源１１Ｂから射出された各Ｂ光ＬｂはＢ光用ダイクロイックミラー１２ＤＭ−Ｂ（又は全反射ミラー１２Ｍ）で反射された後にＧ光用ダイクロイックミラー１２ＤＭ−Ｇ及びＲ光用ダイクロイックミラー１２ＤＭ−Ｒを透過して射出され、２つのＧ光用レーザアレイ光源１１Ｇから射出された各Ｇ光ＬｇはＧ光用ダイクロイックミラー１２ＤＭ−Ｇで反射された後にＲ光用ダイクロイックミラー１２ＤＭ−Ｒを透過して射出され、２つのＲ光用レーザアレイ光源１１Ｒから射出された各Ｒ光ＬｒはＲ光用ダイクロイックミラー１２ＤＭ−Ｒで反射された後にそのまま射出されるので、Ｒ光Ｌｒ，Ｇ光Ｌｇ，Ｂ光Ｌｂを色合成した白色光Ｌｒｇｂは行方向に対する光束の面積が広がり、照明効率が良好な明るい照明光となる。
【００４８】
次に、実施例１の照明装置を一部変形させた変形例の照明装置について図４（ａ），（ｂ）及び図５を用いて、実施例１の照明装置に対して異なる点についてのみ説明する。
【００４９】
図４（ａ），（ｂ）に示した如く、変形例１，２の照明装置１０Ａ’，１０Ｂ’では、複数のレーザアレイ光源１１（１１Ｒ，１１Ｇ，１１Ｂのうち一種類）を列方向に配列した半導体レーザ素子１１ｂが図４の列方向となるように設置している。すなわち、実施例１に対してレーザアレイ光源１１の設置向きを９０°方向転換したものである。
【００５０】
上記に伴って、レーザアレイ光源１１の数と対応して複数の矩形状ミラー部（１２ａ，１２ｂ…第１例）又は（１２ａ〜１２ｄ…第２例）を有したダイクロイックミラー１２ＤＭ（又は全反射ミラー１２Ｍ）を用意する。ダイクロイックミラー１２ＤＭ（又は全反射ミラー１２Ｍ）に設けた複数の矩形状ミラー部（１２ａ〜１２ｂ又は１２ａ〜１２ｄ）は、レーザアレイ光源１１の半導体レーザ素子１１ｂの配列方向に対して直交する行方向に中心部位を交互にＸ字状に直交させて積み重ねた状態となっている。
【００５１】
そして、複数のレーザアレイ光源１１をダイクロイックミラー１２ＤＭ（又は全反射ミラー１２Ｍ）を挟んでそれぞれ行方向の位置を変えて交互に分けて対向させる。各レーザアレイ光源１１から射出された各レーザ光Ｌ（Ｌｒ，Ｌｇ，Ｌｂ）は、対応する各矩形状ミラー部（１２ａ，１２ｂ）又は（１２ａ〜１２ｄ）に入射した後に同一方向に反射して照明光を得ている。
【００５２】
図４（ａ）に示した変形例１の照明装置１０Ａ’は、２つのレーザアレイ光源１１の列方向を垂直に設置した場合に対応し、一方、図４（ｂ）に示した変形例２の照明装置１０Ｂは、４つのレーザアレイ光源１１の列方向を垂直に設置した場合に対応している。従って、先に図２（ａ）．（ｂ）を用いて説明した第１，第２例の照明装置１０Ａ，１０Ｂと略同様な効果が得られる。
【００５３】
更に、図５に示した変形例３の照明装置１０Ｃ’は、上記した図４（ａ）の技術的思想を利用して、２つのＲ光用レーザアレイ光源１１Ｒ，２つのＧ光用レーザアレイ光源１１Ｇ，２つのＢ光用レーザアレイ光源１１Ｂを用いる。各２つのＲ光用，Ｇ光用，Ｂ光用レーザアレイ光源１１Ｒ，１１Ｇ，１１Ｂを図４（ａ）に示すように各色のレーザアレイ光源１１をそれぞれ行方向の位置を変えてダイクロイックミラー１２ＤＭ（又は全反射ミラー１２Ｍ）を挟んで対向させる。ダイクロイックミラー１２ＤＭ（又は全反射ミラー１２Ｍ）を挟んで対向した各色のレーザアレイ光源１１Ｒ，１１Ｇ，１１Ｂは、列方向に対してそれぞれ垂直に設置する。これにより、Ｒ光用，Ｇ光用，Ｂ光用レーザアレイ光源１１Ｒ，１１Ｇ，１１Ｂから射出されたＲ光Ｌｒ，Ｇ光Ｌｇ，Ｂ光Ｌｂを計３つのＲ光用，Ｇ光用，Ｂ光用ダイクロイックミラー１２ＤＭ−Ｒ，１２ＤＭ−Ｇ，１２ＤＭ−Ｂにより色合成する。これに限ることなく、図４（ｂ）に示すようにＲ，Ｇ，Ｂごとに４つのＲ光用，Ｇ光用，Ｂ光用レーザアレイ光源１１Ｒ，１１Ｇ，１１Ｂを設置した場合も図５と略同様になるものである。
【００５４】
従って、変形例３の照明装置１０Ｃ’でも、先に図３を用いて説明した第３例の照明装置１０Ｃと略同様な効果が得られる。
【００５５】
尚、この変形例３の照明装置１０Ｃ’においても、１色目のＢ光用レーザアレイ光源１１Ｂと対向するＢ光用ダイクロイックミラー１２ＤＭ−Ｂは、Ｂ光Ｌｂだけを反射させれば良いものであるから、Ｂ光用ダイクロイックミラー１２ＤＭ−Ｂに代えて全反射ミラー１２Ｍを用いても良いものである。
【実施例２】
【００５６】
次に、実施例１に示した照明装置を用いた投射型映像表示装置について説明する。
【００５７】
まず、図６に示した実施例２における第１例の投射型映像表示装置２０は、先の図３を用いて説明した照明装置１０Ｃと、照明装置１０Ｃから射出された白色光Ｌｒｇｂの光強度分布であるビーム強度を均一化するビーム強度均一化手段２１〜２３と、液晶パネルやＤＭＤなどを用いた単板式の光変調素子２４と、投射レンズ２５とから構成されている。
【００５８】
即ち、第１例の投射型映像表示装置２０では、照明装置１０Ｃ内で例えば各２つのＲ光用，Ｇ光用，Ｂ光用レーザアレイ光源１１Ｒ，１１Ｇ，１１Ｂからそれぞれ射出されたＲ光Ｌｒ，Ｇ光Ｌｇ，Ｂ光Ｌｂを計３つのＲ光用，Ｇ光用，Ｂ光用ダイクロイックミラー１２ＤＭ−Ｒ，１２ＤＭ−Ｇ，１２ＤＭ−Ｂにより色合成して白色光Ｌｒｇｂが得られる。この白色光Ｌｒｇｂを集光レンズ２１によりライトトンネル２２に入射させて、このライトトンネル２２内で白色光Ｌｒｇｂのビーム強度が均一化された後に、白色光Ｌｒｇｂをリレーレンズ２３により単板式の光変調素子２４に照射している。
【００５９】
この後、単板式の光変調素子２４で光変調されて射出された映像光Ｌｒｇｂｅを投射レンズ２５によりスクリーン２６上に拡大投影しているので、スクリーン２６上に色むらのない明るい映像を表示できる。この第１例においても、前述したと同様に、１色目のＢ光Ｌｂに対してＢ光用ダイクロイックミラー１２ＤＭ−Ｂに代えて全反射ミラー１２Ｍを用いても良い。
【００６０】
次に、図７に示した実施例２における第２例の投射型映像表示装置３０は、先の図３を用いて説明した照明装置１０Ｃと、照明装置１０Ｃから射出された白色光Ｌｒｇｂのビーム強度を均一化するビーム強度均一化手段３１〜３３と、ビーム強度が均一化された白色光ＬｒｇｂをＲ光Ｌｒ，Ｇ光Ｌｇ，Ｂ光Ｌｂに分離する色光分離手段３４〜３８と、液晶パネルやＤＭＤなどを用いた３板式のＲ光用，Ｇ光用，Ｂ光用光変調素子３９Ｒ，３９Ｇ，３９Ｂと、３板式のＲ光用，Ｇ光用，Ｂ光用光変調素子３９Ｒ，３９Ｇ，３９Ｂからそれぞれ射出されたＲ色，Ｇ色，Ｂ色の各映像光Ｌｒｅ．Ｌｇｅ，Ｌｂｅを合成する映像光合成手段（以下、ダイクロイックプリズムと記す）４０と、投射レンズ４１とから構成されている。
【００６１】
即ち、第２例の投射型映像表示装置３０では、照明装置１０Ｃから射出された白色光Ｌｒｇｂを集光レンズ２１によりライトトンネル２２に入射させてライトトンネル２２内で白色光Ｌｒｇｂのビーム強度を均一化するまでは上記した第１例の投射型映像表示装置２０（図６）と同様である。異なる点は、ビーム強度が均一化された白色光Ｌｒｇｂを色光分離手段３４〜３８によりＲ光Ｌｒ，Ｇ光Ｌｇ，Ｂ光Ｌｂにそれぞれ分離する工程以降である。
【００６２】
上記色光分離手段３４〜３８は、ビーム強度が均一化された白色光ＬｒｇｂのうちでＲ光Ｌｒを反射して９０°方向転換させ且つＧ光Ｌｇ，Ｂ光Ｌｂを透過して直進させるダイクロイックミラー３４と、ダイクロイックミラー３４で反射されたＲ光Ｌｒを再度反射して９０°方向転換させた後にＲ光用光変調素子３９Ｒを照射する全反射ミラー３５と、ダイクロイックミラー３４を透過したＧ光Ｌｇ，Ｂ光ＬｂのうちでＧ光Ｌｇを反射して９０°方向転換させた後にＧ光用光変調素子３９Ｇを照射し且つＢ光Ｌｂを透過して直進させるダイクロイックミラー３６と、ダイクロイックミラー３６を透過したＢ光Ｌｂを反射して９０°方向転換させるダイクロイックミラー（又は全反射ミラー）３７と、ダイクロイックミラー（又は全反射ミラー）３７で反射されたＢ光Ｌｂを再度反射して９０°方向転換させた後にＢ光用光変調素子３９Ｂを照射する全反射ミラー３８とを備えている。
【００６３】
そして、Ｒ光用，Ｇ光用，Ｂ光用光変調素子３９Ｒ，３９Ｇ，３９Ｂに入射したＲ光Ｌｒ，Ｇ光Ｌｇ，Ｂ光Ｌｂは、Ｒ光用，Ｇ光用，Ｂ光用光変調素子３９Ｒ，３９Ｇ，３９Ｂで光変調されそれぞれＲ色，Ｇ色，Ｂ色の映像光Ｌｒｅ，Ｌｇｅ，Ｌｂｅとして射出され直方形状のダイクロイックプリズム４０に入射されている。
【００６４】
上記ダイクロイックプリズム４０は、内部にダイクロイック膜４０ｒ，４０ｂがＸ字状に交差して成膜されており、Ｒ光用光変調素子３９Ｒから射出されたＲ色の映像光Ｌｒｅがダイクロイック膜４０ｒで反射して９０°方向転換され、Ｇ光用光変調素子３９Ｇから射出されたＧ色の映像光Ｌｇｅがダイクロイック膜４０ｒ，４０ｂを透過してそのまま直進し、Ｂ光用光変調素子３９Ｂから射出されたＢ色の映像光Ｌｂｅがダイクロイック膜４０ｂで反射して９０°方向転換され、Ｒ色の映像光Ｌｒｅ，Ｇ色の映像光Ｌｇｅ及びＢ色の映像光Ｌｂｅは色合成されカラーの映像光として投射レンズ４１に入射される。
【００６５】
そして、カラーの映像光は、投射レンズ４１によりスクリーン４２上に拡大投影されているので、スクリーン４２上に色むらのない明るいカラー映像を表示できる。
【００６６】
次に、図８に示した実施例２における第３例の投射型映像表示装置５０は、先の図２（ａ）を用いて説明した照明装置１０ＡをＲ，Ｇ，Ｂごとに設けたＲ光用，Ｇ光用，Ｂ光用の照明装置１０Ａ−Ｒ，１０Ａ−Ｇ，１０Ａ−Ｂと、３つの照明装置１０Ａ−Ｒ，１０Ａ−Ｇ，１０Ａ−Ｂからそれぞれ射出されたＲ光Ｌｒ，Ｇ光Ｌｇ，Ｂ光Ｌｂの各ビーム強度を各色光ごとに均一化する３つのビーム強度均一化手段５１〜５３と、液晶パネルやＤＭＤなどを用いた３板式のＲ光用，Ｇ光用，Ｂ光用光変調素子５４Ｒ，５４Ｇ，５４Ｂと、Ｒ光用，Ｇ光用，Ｂ光用光変調素子５４Ｒ，５４Ｇ，５４Ｂからそれぞれ射出されたＲ色，Ｇ色，Ｂ色の各映像光Ｌｒｅ，Ｌｇｅ，Ｌｂｅを合成する映像光合成手段（以下、ダイクロイックプリズムと記す）５５と、投射レンズ５６とから構成されている。
【００６７】
この際、第３実施例の投射型映像表示装置５０では、Ｒ光，Ｇ光，Ｂ光のそれぞれの光路にビーム強度均一化手段５１〜５３を３つ設ける必要があるために第２例の投射型映像表示装置３０（図７）よりもコスト高になる。
【００６８】
即ち、第３例の投射型映像表示装置５０では、Ｒ光用の照明装置１０Ａ−Ｒ内で複数のレーザアレイ光源１１Ｒから射出されたＲ光Ｌｒが全反射ミラー１２Ｍで反射され、Ｇ光用の照明装置１０Ａ−Ｇ内で複数のレーザアレイ光源１１Ｇから射出されたＧ光Ｌｇが全反射ミラー１２Ｍで反射され、Ｂ光用の照明装置１０Ａ−Ｂ内で複数のレーザアレイ光源１１Ｂから射出されたＢ光Ｌｂが全反射ミラー１２Ｍで反射されている。
【００６９】
尚、この第３例では、３つの照明装置１０Ａ−Ｒ，１０Ａ−Ｇ，１０Ａ−Ｂ内でそれぞれ全反射ミラー１２Ｍを用いているが、これに変えて、先に図３で示したＲ光用，Ｇ光用，Ｂ光用ダイクロイックミラー１２ＤＭ−Ｒ，１２ＤＭ−Ｇ，１２ＤＭ−Ｂを用いても支障がないが、全反射ミラー１２Ｍを用いた方が低価格となる。
【００７０】
そして、３つの照明装置１０Ａ−Ｒ，１０Ａ−Ｇ，１０Ａ−Ｂから射出されたＲ光Ｌｒ，Ｇ光Ｌｇ，Ｂ光Ｌｂを各色光ごとに設けた集光レンズ５１により各色光用のライトトンネル５２に入射させる。この各色光用のライトトンネル５２内でＲ光Ｌｒ，Ｇ光Ｌｇ，Ｂ光Ｌｂごとにビーム強度が均一化された後にライトトンネル５２に対応して設けられたリレーレンズ５３を透過し、３板式のＲ光用，Ｇ光用，Ｂ光用光変調素子５４Ｒ，５４Ｇ，５４Ｂをそれぞれ照射している。
【００７１】
この後、３板式のＲ光用，Ｇ光用，Ｂ光用光変調素子５４Ｒ，５４Ｇ，５４Ｂで光変調されてそれぞれ射出されたＲ色，Ｇ色，Ｂ色の映像光Ｌｒｅ，Ｌｇｅ，Ｌｂｅは、内部にダイクロイック膜５５ｒ，５５ｂがＸ字状に交差して成膜されたダイクロイックプリズム５５により色合成され、カラーの映像光となる。カラーの映像光は、投射レンズ５６によりスクリーン５７上に拡大投影されているので、スクリーン５７上に色むらのない明るいカラー映像を表示できる。
【符号の説明】
【００７２】
１０…実施例１の照明装置、
１０Ａ…実施例１における第１例の照明装置、
１０Ａ’…上記した第１例の照明装置を一部変形させた変形例１の照明装置、
１０Ｂ…実施例１における第２例の照明装置、
１０Ｂ’…上記した第２例の照明装置を一部変形させた変形例２の照明装置、
１０Ｃ…実施例１における第３例の照明装置、
１０Ｃ’…上記した第３例の照明装置を一部変形させた変形例３の照明装置、
１１…レーザアレイ光源、１１ａ…基板、１１ｂ…半導体レーザ素子、
１１ｂ１…射出部、１１ｃ…ヒートシンク、１１Ｒ…Ｒ光用レーザアレイ光源、
１１Ｇ…Ｇ光用レーザアレイ光源、１１Ｂ…Ｂ光用レーザアレイ光源、
１２ＤＭ…ダイクロイックミラー、
１２ＤＭ−Ｒ…Ｒ光用ダイクロイックミラー、
１２ＤＭ−Ｇ…Ｇ光用ダイクロイックミラー、
１２ＤＭ−Ｂ…Ｂ光用ダイクロイックミラー、
１２Ｍ…全反射ミラー、１２ａ〜１２ｄ…矩形状ミラー部、１２ｘ…Ｘ字状直交部位、
２０…実施例２における第１例の投射型映像表示装置、
２１〜２３…ビーム強度均一化手段、
２１…集光レンズ、２２…ライトトンネル、２３…リレーレンズ、
２４…単板式の光変調素子、２５…投射レンズ、２６…スクリーン、
３０…実施例２における第２例の投射型映像表示装置、
３１〜３３…ビーム強度均一化手段、
３１…集光レンズ、３２…ライトトンネル、３３…リレーレンズ、
３４〜３８…色光分離手段、３４…ダイクロイックミラー、３５…全反射ミラー、
３６…ダイクロイックミラー、３７…ダイクロイックミラー（又は全反射ミラー）、
３８…全反射ミラー、
３９Ｒ，３９Ｇ，３９Ｂ…３板式のＲ光用，Ｇ光用，Ｂ光用光変調素子、
４０…映像光合成手段（ダイクロイックプリズム）、
４１…投射レンズ、４２…スクリーン、
５０…実施例２における第３例の投射型映像表示装置、
５１〜５３…ビーム強度均一化手段、
５１…集光レンズ、５２…ライトトンネル、５３…リレーレンズ、
５４Ｒ，５４Ｇ，５４Ｂ…３板式のＲ光用，Ｇ光用，Ｂ光用光変調素子、
５５…映像光合成手段（ダイクロイックプリズム）、
５６…投射レンズ、５７…スクリーン、
Ｋ…光軸、Ｌ…レーザ光、Ｌｒ…Ｒ光、Ｌｇ…Ｇ光、Ｌｂ…Ｂ光、Ｌｒｇｂ…白色光、
Ｌｒｅ…Ｒ色の映像光、Ｌｇｅ…Ｇ色の映像光、Ｌｂｅ…Ｂ色の映像光、
Ｌｒｇｂｅ…映像光。
【図１】
2011043703.tif 000003
【図２】
2011043703.tif 000004
【図３】
2011043703.tif 000005
【図４】
2011043703.tif 000006
【図５】
2011043703.tif 000007
【図６】
2011043703.tif 000008
【図７】
2011043703.tif 000009
【図８】
2011043703.tif 000010
【図９】
2011043703.tif 000011
【図１０】
2011043703.tif 000012